(57)【要約】【課題】手首の動きが滑らかで返しの動作が迅速におこなえる、使い易い剣道用小手を提供する。【解決手段】手を挿入する小手頭１２ａ及び手の内１２ｂからなるころも部１２と、小手頭に連設し下部側を開放した筒部１３と、筒部に連設し開放した下部側を小手紐２２で結ぶようにした小手筒１５とからなる剣道用小手１１であって、筒部と小手筒との間であって手首近傍が納まる位置には、当該筒部及び小手筒の肉厚よりも肉薄に形成した連結部１４を設けたことである。【選択図】図１
0003214252.tif 000002
【実用新案登録請求の範囲】
【請求項１】
手を挿入する小手頭及び手の内からなるころも部と、前記小手頭に連設し下部側を開放した筒部と、該筒部に連設し開放した下部側を小手紐で結ぶようにした小手筒とからなる剣道用小手であって、
前記筒部と前記小手筒との間であって手首近傍が納まる位置には、当該筒部及び小手筒の肉厚よりも肉薄に形成した連結部を設けたこと
を特徴とする剣道用小手。
【請求項２】
前記連結部は、内部に緩衝材を薄めに充填して又は充填しない状態で前記筒部及び前記小手筒に縫着したこと
を特徴とする請求項１に記載の剣道用小手。
【請求項３】
前記連結部は、竹刀の直径寸法よりも短い幅で形成したこと
を特徴とする請求項１に記載の剣道用小手。
【考案の詳細な説明】
【技術分野】
【０００１】
本考案は、手首の動きが滑らかで返しの動作が迅速におこなえる、使い易い剣道用小手に関するものである。
【背景技術】
【０００２】
図３に示すように、従来の剣道用小手１は、手を入れるころも部２と、ころも部２に連設され手首の周囲を覆う筒部３と、筒部３に連設され前腕を覆う小手筒４とから構成される。
【０００３】
ころも部２は、手が挿入される小手頭２ａ及び手の内２ｂからなり、小手頭２ａはその表面が牛革又は鹿革で覆われていると共に、その内部には鹿毛、羊毛などの獣毛、又はフエルトなどの緩衝材が充填されている。手の内２ｂは、ころも部２の内側（手のひら側）に牛革又は鹿革が張設されて形成される。
【０００４】
ころも部２の後端部には、緩衝材が充填されて膨出した状態のけら２ｃが形成されている。
【０００５】
筒部３は、けら２ｃの後端部に一体に縫着されており、手の甲あるいは手首の周囲を覆う適宜の長さを有し、その内部には緩衝材が充填されて肉厚に形成されており、下部側を開放している。
【０００６】
小手筒４は、筒部３の後端部に一体に縫着されており、前腕を覆う適宜長さを有し、その内部には毛布、綿、又はグラスファイバーなどの緩衝材が収納されて肉厚に形成される。また、小手筒４は、外側を木綿で包んで刺し子４ａが施されており、下部側を開放して、この開放した部分を小手紐５で結んだ構成になっている。
【０００７】
なお、特開２００８−１４８９８５号公報には、筒部に施す刺繍に細工を加えて、筒部の部位を柔軟に形成した剣道用小手が開示されている（特許文献１参照）。
【先行技術文献】
【特許文献】
【０００８】
【特許文献１】特開２００８−１４８９８５号公報
【考案の概要】
【考案が解決しようとする課題】
【０００９】
この従来例の剣道用小手１においては、筒部３と小手筒４とが一体で肉厚に連設されているので、容易に折り曲げることができず、手首の動きが滑らかにならないという欠点を有している。
【００１０】
従って、従来例における剣道用小手１においては、筒部３の動きに柔軟性を持たせて手首の動きを滑らかにし、返しの動作が迅速におこなえるようにして、使い易くすることに解決しなければならない課題を有している。
【課題を解決するための手段】
【００１１】
前記従来例の課題を解決するための本考案の要旨は、手を挿入する小手頭及び手の内からなるころも部と、前記小手頭に連設し下部側を開放した筒部と、該筒部に連設し開放した下部側を小手紐で結ぶようにした小手筒とからなる剣道用小手であって、前記筒部と前記小手筒との間であって手首近傍が納まる位置には、当該筒部及び小手筒の肉厚よりも肉薄に形成した連結部を設けたことである。
【００１２】
また、前記連結部は、内部に緩衝材を薄めに充填して又は充填しない状態で前記筒部及び前記小手筒に縫着したこと、；
前期連結部は、竹刀の直径寸法よりも短い幅で形成したこと、；
を含むものである。
【考案の効果】
【００１３】
本考案に係る剣道用小手によれば、筒部と小手筒との間であって手首近傍が納まる位置に、当該筒部及び小手筒の肉厚よりも肉薄に形成した連結部を設けたことによって、筒部と小手筒との間を容易に折り曲げることができる。したがって、手首の動きが滑らかで返しの動作が迅速におこなえて、使い易い剣道用小手となるという優れた効果を奏する。
【００１４】
連結部は、内部に緩衝材を薄めに充填して又は充填しない状態で筒部及び小手筒に縫着したことによって、連結部を容易に折り曲げることができるだけでなく、小手の外観が従来のものとほとんど変わらない形状を呈して、見た目に違和感がないという優れた効果を奏する。
【００１５】
連結部は、竹刀の直径寸法よりも短い幅で形成したことによって、連結部を竹刀で打たれた場合でも、その衝撃が直接手首に伝わらないという優れた効果を奏する。
【図面の簡単な説明】
【００１６】
【図１】本考案に係る剣道用小手１１の斜視図である。
【図２】連結部１４の断面図である。
【図３】従来例に係る剣道用小手１の斜視図である。
【考案を実施するための形態】
【００１７】
次に、本考案の実施の形態について図面を参照しながら説明する。まず、図１において、符号１１は剣道用小手を示し、この剣道用小手１１は、手先を入れるころも部１２と、ころも部１２に連設されて手首の周囲を覆う筒部１３と、筒部１３に一体に連設された連結部１４と、連結部１４に連設されて前腕を覆う小手筒１５とから構成される。
【００１８】
ころも部１２は、手が挿入される小手頭１２ａ及び手の内１２ｂからなり、小手頭１２ａはその表面が牛革又は鹿革などの表張材で覆われていると共に、内部には鹿毛、羊毛などの獣毛、又はフエルト、綿などの緩衝材が充填されている。手の内１２ｂはころも部１２の内側（手のひら側）に牛革又は鹿革が張設されて形成されている。なお、図１中の符号１６は、表張材と内部の緩衝材とを縫止する飾り糸を示す。
【００１９】
ころも部１２の後端部には、緩衝材が充填されて膨出した状態のけら１２ｃが形成されている。
【００２０】
筒部１３は、けら１２ｃの後端部に一体に縫着されており、手の甲あるいは手首の周囲を覆う適宜長さを有し、下部側を開放している。そして、筒部１３の表面は、牛革、鹿革、あるいは布材などの表張材で覆われ、その内部には鹿毛、羊毛などの獣毛、又はフエルト、綿などの緩衝材２０が充填されて肉厚に形成されている。なお、図１中の符号１７、１８は、表張材と内部の緩衝材とを縫止する飾り糸を示す。
【００２１】
連結部１４は、図２に示すように、筒部１３の表側を形成する表張材１３ａと、裏側を形成する裏張材１３ｂとが重なり合って所定の長さ延出され、当該表張材１３ａと裏張材１３ｂとの両方の端部１３ｃが折り返されており、その折り返し片１３ｄが小手筒１５の端部１５ａ近傍で縫い糸１９により縫着されて形成されている。
【００２２】
連結部１４の内部は、前述の飾り糸１８に縫止された位置から小手筒１５の端部１５ａまで、緩衝材を充填しない状態か、あるいは極めて薄めに充填した状態に形成されている。なお、図２中の符号２０、２１はそれぞれ緩衝材を示す。
【００２３】
このように、連結部１４の内部に緩衝材を充填しないか、あるいは極めて薄めに充填することにより、連結部１４を容易に折り曲げることができる。したがって、手首の動きが滑らかで返しの動作を迅速におこなえて、使い易い剣道用小手１１となる。
【００２４】
また、筒部１３と連結部１４と小手筒１５とは、飾り糸１８及び縫い糸１９で縫着されて一体に連設されているので、小手１１の外観が従来のものとほとんど変わらない形状を呈して、見た目に違和感がない。
【００２５】
連結部１４の幅Ｌは、竹刀の直径寸法よりも短い幅、即ち約５〜２０ｍｍ程度に形成される。したがって、連結部１４を竹刀で打たれた場合でも、その衝撃が直接手首に伝わらない仕組みになっている。
【００２６】
小手筒１５は、前述のように連結部１４の端部、即ち、表張材１３ａ及び裏張材１３ｂの折り返し片１３ｄが縫い糸１９によって縫着されて、連結部１４と一体に形成されている（図２参照）。
【００２７】
小手筒１５の長さは、一般に約１５０〜１５５ｍｍ程度で、前腕を覆う長さであって、その内部には毛布、綿、又はグラスファイバー、綿などの緩衝材２１が収納されて肉厚に形成され、外側を木綿で包んで刺し子１５ｂが施されている。また、下部側を開放して、この開放した部分を小手紐２２で結んだ構成になっている。
【００２８】
以上のように構成される剣道用小手１１は、筒部１３と小手筒１５との間であって手首近傍が納まる位置に、当該筒部１３及び小手筒１５の肉厚よりも肉薄に形成した連結部１４を設けたことによって、筒部１３と小手筒１５との間を容易に折り曲げることができる。したがって、手首の動きが滑らかで返しの動作が迅速におこなえて、使い易い剣道用小手１１となる。
【００２９】
連結部１４は、内部に緩衝材を薄めに充填して又は充填しない状態で筒部１３及び小手筒１５に縫着したことによって、連結部１４を容易に折り曲げることができるだけでなく、小手の外観が従来のものとほとんど変わらない形状を呈して、見た目に違和感がない。
【符号の説明】
【００３０】
１    剣道用小手
２    ころも部
２ａ  小手頭
２ｂ  手の内
２ｃ  けら
３    筒部
４    小手筒
４ａ  刺し子
５    小手紐
１１  剣道用小手
１２  ころも部
１２ａ小手頭
１２ｂ手の内
１２ｃけら
１３  筒部
１３ａ表張材
１３ｂ裏張材
１３ｃ端部
１３ｄ折り返し片
１４  連結部
１５  小手筒
１５ａ端部
１５ｂ刺し子
１６  飾り糸
１７、１８  飾り糸
１９  縫い糸
２０、２１  緩衝材
２２  小手紐
【図１】
0003214252.tif 000003
【図２】
0003214252.tif 000004
【図３】
0003214252.tif 000005